(57)【要約】【課題】外出中での大地震はビルなどからの落下物の雨にさらされる。これを防ぐ手立ては、物が落ちないところに避難することだが、一瞬に物を落ちない場所を探すことは容易でない。避難できない場合はカバンやリュックサックを両手で押さえながら頭に載せて防御するしかない。【解決手段】地震発生の時、日常的に持ち歩くリュックサックを即座に頭部に載せて落下物から頭部など身体の損傷防ぐ。この時、両手を離した場合でもリュックサックが頭部からずり落ちないようするため、リュックサックにずり落ち防止枠（帽子形態も含む）などや締め止用具などを装着して、落下物から頭部など人体を効果的に守る方法である。【選択図】図２
2011235074.tif 000002
【特許請求の範囲】
【請求項１】
リュックサック（日本語では背負い袋）（１）の外面を人の頭部（２）に宛がって、頭部（２）にリュックサック（１）を載せる状態とした時、頭部（２）からリュックサック（１）がずり落ちないようにするため、リュックサック（１）の外面に、ずり落ち防止枠（３）を装着しているのを特徴としている落下物から頭部など人体を守る効果を上げる方法
【請求項２】
リュックサック（１）に装着するずり落ち防止枠（３）が着脱自在であるのを特徴としている請求項１に記載の落下物から頭部など人体を守る効果を上げる方法
【請求項３】
ずり落ち防止枠（３）が帽子（４）であるのを特徴としている請求項１又は請求項２記載の落下物から頭部など人体を守る効果を上げる方法
【請求項４】
リュックサック（１）を背負った時、背負った人の背中に面するリュックサック（１）の外面に、ずり落ち防止枠（３）又はずり落ち防止枠としての帽子（４）を装着する事を特徴としている特許請求項１〜３のいずれかの項記載の落下物から頭部など人体を守る効果を上げる方法
【請求項５】
リュックサック（１）に着脱自在のずり落ち防止枠（３）を装着するため、ファスナー若しくは面ファスナーなど裁縫用開閉材料（５）と、着脱自在のずり落ち防止枠（３）とがリュックサック（１）に装着できるようにセット化しているのを特徴としている請求項２に記載の落下物から頭部など人体を守る効果を上げる方法
【請求項６】
リュックサック（１）に着脱自在の帽子（４）を装着するため、ファスナー若しくは面ファスナーなど裁縫用開閉材料（５）と、着脱自在の帽子（４）とがリュックサック（１）に装着できるようにセット化しているのを特徴としている請求項３記載の落下物から頭部など人体を守る効果を上げる方法
【請求項７】
落下物から頭部（２）など身体を守るため、リュックサック（１）の特定部分の強度を増して頭部など防護強化部分（６）としているのを特徴としている請求項１〜６何れかの項記載の落下物から頭部など人体を守る効果を上げる方法
【請求項８】
落下物から頭部（２）など身体を守るため、ずり落ち防止枠（３）の特定部分の強度を増して頭部など防護強化部分（６）としているのを特徴としている請求項１〜７いずれかの項記載の落下物から頭部など人体を守る効果を上げる方法
【請求項９】
リュックサック（１）を背負った時、ずり落ち防止枠（３）又は帽子（４）が、リュックサック（１）の加重に対する背中へのクッション（８）となっているのを特徴としている請求項１〜８いずれかの項記載の落下物から頭部など人体を守る効果を上げる方法
【請求項１０】
リュックサック（１）の外面に装着したずり落ち防止枠（３）又は帽子（４）に、頭部（２）を宛がってリュックサック（１）を頭部（２）に載せた時、リュックサック（１）と頭部（２）との緊密度を増強するため、（帯、紐、面ファスナー、ホック若しくはボタン）などの裁縫用開閉材料５、又は（面ファスナー、ホック、若しくはボタン）など裁縫用開閉材料（５）付き帯などの締め止め用具（９）を、リュックサック（１）に取り付けてあるのを特徴としている請求項１〜９いずれかの項記載の落下物から頭部など人体を守る効果を上げる方法
【請求項１１】
リュックサック（１）の外面に装着したずり落ち防止枠（３）又は帽子（４）に頭部（２）を宛がってリュックサック（１）を頭部（２）に載せた時、リュックサック（１）と頭部（２）との緊密度を増強するため、（帯、紐、面ファスナー、ホック、若しくはボタン）などの裁縫用開閉材料（５）、又は（面ファスナー、ホック、若しくはボタン）など裁縫用開閉材料（５）付き帯などの締め止め用具（９）を、ずり落ち防止枠（３）又は帽子（４）に取り付けてあるのを特徴としている請求項１〜９いずれかの項記載の落下物から頭部など人体を守る効果を上げる方法
【請求項１２】
リュックサック（１）の、背負い帯若しくは紐（１０）に面ファスナーなどの裁縫用開閉材料（５）の凹凸のいずれかを取り付けるとともに、これと対応する（ずり落ち防止枠（３）若しくは帽子（４）に付いている締め止め用具（９））にも、裁縫用開閉材料（５）の凹凸のいずれかを取り付けてあるのを特徴としている請求項１０又は１１項記載の落下物から頭部など人体を守る効果を上げる方法
【発明の詳細な説明】
【技術分野】
【０００１】  本発明は、防災に関するものである。
【背景技術】
【０００２】  外出中の大地震は落下物の雨に人体がさらされる。しかし道路上などでは危険を防止する手立てが限られている。
【発明の開示】
【発明が解決しようとする課題】
【０００３】  外出中はリュックサック（日本語で背負い袋）を背負っている人を多く見かける。特に高齢化が進む現代は転倒防止のため、手に荷物を持つよりは背負った方が両手の自由が利くためリュックサックの利用は増加の傾向にある。【０００４】  大地震では、歩行中の人は道路周囲の建物からのガラスの雨にさらされる。また建物内にいてもガラスなどの落下物から身を守ることは容易でない。
【課題を解決する為の手段】
【０００５】  この発明は、外出中に落下物から身を守る方法である。リュックサックを背負い外出するのが近年の流行である。一方大地震は周期的に来ることが分かってきた。しかしながら日常生活は否応なく外出することは避けられない。
【０００６】  この発明は外出中の大地震発生の時、落下物から頭など人体を守る効果を上げるため考え出された方法である。
大地震への対応だけの目的で持ち合わせるのは、継続的という見地からも無理が多い。日常的に持ち合わせる品物を利用することにより大地震に適応するのが自然である。
このため日常的に持ち合わせるリュックサックを防災用具に変身して損傷を防ぐ方法を採用した。
【０００７】  請求項１に係る方法は、リュックサック（日本語では背負い袋）１の外面に人の頭部２を宛がって頭部２にリュックサック１を載せる状態とした時、頭部２からリュックサック１がずり落ちないようにするため、リュックサック１の外面に、ずり落ち防止枠３を装着し、落下物から頭部など人体を守る効果を上げる方法である。
【０００８】  請求項２に係る方法は、リュックサック１に装着するずり落ち防止枠３が必要に応じ取り外したり装着したりして利用しやすくし、落下物から頭部など人体を守る効果を上げる方法である。一例として、ファスナーや面ファスナーなど裁縫用開閉材料５を構成する凸凹材料の一方をリュックサック１に既に固着してあり、対応するもう一方のずり落ち防止枠３にも裁縫用開閉材料５を既に固着してあり、ずり落ち防止枠３とリュックサック１とが随時着脱自在とする場合がある。又必要に応じ裁縫用開閉材料５の凸凹の一方の接着機能付きの面をリュックサック１に随時貼り付け、これに対応する凸凹のもう一方の接着機能付きの面をずり落ち防止枠３にも随時貼り付けて、リュックサック１とずり落ち防止枠３とを着脱自在とする場合などがある。これらにより落下物から頭部など人体を守る効果を上げる方法である。
【０００９】  請求項３に係る方法は、ずり落ち防止枠３が帽子４であり、言わば帽子４の上にリュックサック１の一部又は全体を載せてある形態である。このリュックサック１を載せてある帽子４を被ることにより、落下物から頭部など人体を守る効果を上げる方法である。また着脱自在な場合は、リュックサック１から外して、単独の帽子としての利用も出来る。
【００１０】  請求項４に係る方法は、リュックサック１を背負った時、背負った人の背中と接するリュックサック１の外面にずり落ち防止枠３または帽子４をとりつけ、落下物から頭部など人体を守る効果を上げる方法である。
【００１１】  請求項５に係る方法は、リュックサック１に装着する着脱自在のずり落ち防止枠３と、ファスナーや面ファスナーなど裁縫用開閉材料５とをセット化することにより、購入者が後付けでリュックサック１に装着出来ることにより、落下物から頭部など人体を守る効果を上げる方法である。
【００１２】  請求項６に係る方法は、リュックサック１に装着する着脱自在の帽子４と、ファスナーや面ファスナーなど裁縫用開閉材料５とをセット化することにより、購入者が後付でリュックサック１に装着できることにより、落下物から頭部など人体を守る効果を上げる方法である。
【００１３】  請求項７に係る方法は、リュックサック１の特定部分の強度を増して頭部など防護強化部分６として、落下物から頭部など人体を守る効果を上げる方法である。この場合の特定部分にはリュックサック１の内部にある小間物入れなどの部材の強化も含む。
【００１４】  請求項８に係る方法は、落下物から頭部２など身体を守るため、ずり落ち防止枠３の特定部分の強度を増して頭部など防護強化部分６として落下物から頭部など人体を守る効果を上げる方法。
【００１５】  請求項９に係る方法は、リュックサック１を背負った時、ずり落ち防止枠３又は帽子４がリュックサック１の加重に対する背中へのクッション８の役割を果たし、落下物から頭部など人体を守る効果を上げる方法である。
【００１６】  請求項１０に係る方法は、ずり落ち防止枠３又は帽子４を頭部２に宛がいリュックサック１を被った時、リュックサック１と頭部２との緊密度を高めリュックサック１の頭部２からのずり落ち防止を強化するため、（帯、紐、面ファスナー、若しくはホック）などの裁縫用開閉材料５、又は（面ファスナー、ホック、若しくはボタン）など裁縫用開閉材料５付き帯などの締め止め用具９を、リュックサック１に取り付け、この締め止め用具９で首、及び背負い帯若しくは紐１０とを同時に締め止めすることにより、頭部に被っているリュックサック１と頭部２との緊密度を高め、落下物から頭部など人体を守る効果を上げる方法である。
【００１７】  請求項１１に係る方法は、ずり落ち防止枠３又は帽子４をお頭部２に宛がいリュックサック１を被った時、リュックサック１と頭部２との緊密度を高めリュックサック１の頭部２からのずり落ち防止を強化するため、（帯、紐、面ファスナー、若しくはホック）などの裁縫用開閉材料５、又は（面ファスナー、ホック、若しくはボタン）など裁縫用開閉材料５付き帯などの締め止め用具９を、ずり落ち防止枠３又は帽子４に取り付け、この締め止め用具９で、首と、リュックサック１と、背負い帯若しくは紐１０とを同時に締め止めすることにより、頭部に被っているリュックサック１と頭部２との安定度を高め、落下物から頭部など人体を守る効果を上げる方法である。
【００１８】  請求項１２に係る方法は、リュックサック１の背負い帯若しくは紐１０に、面ファスナーなどの裁縫用開閉材料５の凹凸のいずれか一方を取り付けると共に、ずり落ち防止枠３又は帽子４に付いている締め止め用具９にも、これに対応する裁縫用開閉材料５の凹凸のいずれかを取り付ける。これにより背負い帯若しくは紐１０に付いている裁縫用開閉材料５と、締め止め用具９とで互いにずれないように張り付け可能になり、頭部２に被ったリュックサック１の頭の位置での一層の安定化を図り、落下物から頭部など人体を守る効果を上げる方法である。
請求項１２にかかる裁縫用開閉材料５は請求項１１にかかる裁縫用開閉材料５とつながっているシートでも良いし別々に離れているものでもよい。
【発明の効果】
【００１９】  地震予知は数十年単位で予知可能になったといわれるが、日常生活は無防備に近い。特に外出中は全く無防備にさらされている。この落下物から頭部など人体を守る効果を上げる方法は、主に外出中の無防備状態の時に効果を発揮する。
【００２０】  外出中の大地震の対策は現在ではお手上げ状態である。ビルからのガラスや壁面の落下など想像を超えている。しかしこのような中にあっても人的被害は最小限に抑えなければならないし、生き残りたいのは人情である。
【００２１】  高齢化の進展につれ、物を運ぶ用具としてリュックサックが注目を集めている。背負うことにより両手が空き、転倒した時に両手をついて被害を最小限に抑えることが出来るからである。背負うことによって体の自由がとれると同時に体のバランスを保つことが出来る。
【００２２】  この発明はこのリュックサック１を防災用具に変身させることに意義がある。通常外出中のリュックサックには品物を入れてある。この品物が頭部など人体を守るものに変身する。このリュックサックの特性を生かして落下物から身を守る方法である。
【００２３】  地震の時、咄嗟に頭にリュックサックをのせて落下から頭などの損傷を防ごうとしても、リュックサックを頭上に固定させることは容易でない。地震時において、両手は逃げるために重要な役割を持つものであり、両手を離してもリュックサックが頭上に固定されていれば、落下物の降る中であっても、頭部を防護しながら両手が使えるため、避難に役立つと同時に人的損傷を防ぐ効果を上げることが出来る。
【発明を実施するための最良の形態】
【００２４】  本発明を実施するための最良の形態を図１、図２及び図３に基いて説明する。
図１は帽子４でリュックサック１に装着す前の状態である。この例は防寒ジャンバーなどに着いている形態の帽子４を想定している。材質は柔らく深く被れる。また帽子４の下部伸びた部分は面ファスナー５を取り付けた締め止め用具９を構成している。【００２５】  図２は、リュックサック１の背面で、リュックサック１を背負った時、人の背中の面するリュックサック１の外面に、ずり落ち防止枠３としての帽子４を装着してある。リュックサック１の上部出し入れ口の蓋７及び帽子４の上部は防護強化部分６を兼ねていて落下物に対応できるよう強化されている。【００２６】  帽子４の左右には裁縫用開閉材料５を取り付けてある締め止め用具９があり、これによりリュックサック１を頭部に載せた時、リュックサック１の背負い帯１０と、被る人の首とを、しっかり固着するように、付いているこの左右の面約ファスナー５で止める。その時更にリュックサック１と首が安定するように、帽子４の締め止め用具９に付いている裁縫用開閉材料５と背負い帯１０に付いている裁縫用材料５とで張り付け止める。また帽子４は素材が柔らかくリュックサック１の背中への加重を和らげるクッション８の役割も兼ねている。【００２７】  図３はリュックサック１の背面にずり落ち防止枠３を装着してある場合である。この例ではリュックサック１にずり落ち防止枠３を予め固着してある。またこのずり落ち防止枠３は柔らかい素材で出来ておりリュックサック１の加重から体の負担を和らげるクッション８の役割をもっている。ずり落ち防止枠３は深めの枠をもっていてずれないようにしてある。【００２８】  図３のリュックサック１には、面ファスナー５付きの締め止め用具９をリュックサック１の左右に取り付けてある。リュックサック１を頭部に被った時、この締め止め用具９で首と背負い帯１０を束ねて頭部２にリュックサック１をしっかり固定が出来る。さらに背負い帯１０にも面ファスナー５の凸凹の一方を取り付けてあり、これと対応する締め止め用具９に付いている面ファスナー５とで背負い帯１０と締め止め用具９をしっかり張り付け止めることができ、落下物から頭部など人体を効果的に守ることを増幅する事が出来る。
【図面の簡単な説明】
【００２９】
【図１】ずり落ち防止枠３を帽子４としたもので、リュックサック１に装着前の帽子４の外観図
【図２】ずり落ち防止枠３として帽子４をリュックサック１の背面に装着した外観図
【図３】ずり落ち防止枠３をリュックサック１の背面に装着してある外観図
【符号の説明】
【００３０】１    リュックサック
３    ずり落ち防止枠
４    帽子
５    裁縫用開閉材料
６    防護強化部分
７    上部出し入れ口
８    リュックサック１の加重に対する背中へのクッション
９    締め止め用具
１０  背負い帯若しくは紐
【図１】
2011235074.tif 000003
【図２】
2011235074.tif 000004
【図３】
2011235074.tif 000005